(57)【要約】【課題】無線ＬＡＮ通信装置と無線ＬＡＮ端末とが接続できない場合、その原因をユーザが特定し易くすること。【解決手段】無線ＬＡＮ通信装置（３００）は、無線ＬＡＮ通信装置（３００）が使用している周波数帯域が特定の周波数帯域に制限されている状態で、接続用スイッチが押下された後、無線ＬＡＮ端末（４００）から接続要求を受信できなかった場合は、無線ＬＡＮ通信装置（３００）が使用している周波数帯域を変更し、無線ＬＡＮ通信装置（３００）が使用している周波数帯域を変更した後、無線ＬＡＮ端末（４００）から接続要求を受信できた場合は、無線ＬＡＮ通信装置（３００）が使用している特定の周波数帯域の設定変更を要求する設定変更要求をユーザに通知する。【選択図】図９
2020194996.tif 000002
【特許請求の範囲】
【請求項１】
無線ＬＡＮ通信装置と、
ネゴシエーションにより前記無線ＬＡＮ通信装置に接続可能な無線ＬＡＮ端末と、を備え、
前記無線ＬＡＮ通信装置は、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更し、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知する、
無線ＬＡＮシステム。
【請求項２】
前記無線ＬＡＮ通信装置は、
前記無線ＬＡＮ通信装置が使用している周波数帯域が前記特定の周波数帯域に制限されている状態で、前記無線ＬＡＮ通信装置の接続用スイッチが押下された後、前記無線ＬＡＮ端末から前記接続要求を受信できた場合は、前記無線ＬＡＮ端末に対し、接続応答を送信し、前記無線ＬＡＮ端末との接続を確立する、
請求項１に記載の無線ＬＡＮシステム。
【請求項３】
前記無線ＬＡＮ通信装置は、
前記無線ＬＡＮ通信装置が使用している周波数帯域が前記特定の周波数帯域に制限されている状態で、前記無線ＬＡＮ端末にビーコンを送信し、  前記無線ＬＡＮ端末にビーコンを送信した後、前記無線ＬＡＮ端末からプローブリクエストを受信できた場合は、前記特定の周波数帯域で前記無線ＬＡＮ端末が前記無線ＬＡＮ通信装置に接続可能であると判断し、前記無線ＬＡＮ端末からプローブリクエストを受信できなかった場合は、前記特定の周波数帯域で前記無線ＬＡＮ端末が前記無線ＬＡＮ通信装置に接続不可能であると判断し、
前記特定の周波数帯域での前記無線ＬＡＮ端末の前記無線ＬＡＮ通信装置への接続可否を示す接続可否情報を、前記無線ＬＡＮ端末の固有識別情報と紐付けして、テーブルに登録する、
請求項１又は２に記載の無線ＬＡＮシステム。
【請求項４】
前記無線ＬＡＮ通信装置は、
定期的に、前記無線ＬＡＮ通信装置が使用している周波数帯域を変更して前記無線ＬＡＮ端末にビーコンを送信し、
前記無線ＬＡＮ端末にビーコンを送信した後、前記無線ＬＡＮ端末からプローブリクエストを受信できた場合は、変更後の周波数帯域で前記無線ＬＡＮ端末が前記無線ＬＡＮ通信装置に接続可能であると判断し、前記無線ＬＡＮ端末からプローブリクエストを受信できなかった場合は、変更後の周波数帯域で前記無線ＬＡＮ端末が前記無線ＬＡＮ通信装置に接続不可能であると判断し、
変更後の周波数帯域での前記無線ＬＡＮ端末の前記無線ＬＡＮ通信装置への接続可否を示す接続可否情報を、前記無線ＬＡＮ端末の固有識別情報と紐付けして、前記テーブルに登録する、
請求項３に記載の無線ＬＡＮシステム。
【請求項５】
前記無線ＬＡＮ通信装置は、
ユーザが前記無線ＬＡＮ通信装置が使用している前記特定の周波数帯域の設定変更をする際に、前記テーブルを参照し、前記無線ＬＡＮ通信装置に接続されている前記無線ＬＡＮ端末の中に、前記無線ＬＡＮ通信装置が使用している周波数帯域の設定変更により前記無線ＬＡＮ通信装置に接続不可能になる前記無線ＬＡＮ端末が存在する場合、その旨をユーザに通知する、
請求項４に記載の無線ＬＡＮシステム。
【請求項６】
ネゴシエーションにより無線ＬＡＮ端末に接続可能な無線ＬＡＮ通信装置であって、
前記無線ＬＡＮ端末と無線通信を行う通信部と、
ユーザインターフェースと、
前記通信部及び前記ユーザインターフェースを制御する制御部と、を備え、
前記制御部は、
前記通信部が使用している周波数帯域が特定の周波数帯域に制限されている状態で、前記無線ＬＡＮ通信装置の接続用スイッチが押下された後、前記通信部にて前記無線ＬＡＮ端末から接続要求を受信できなかった場合は、前記通信部が使用している周波数帯域を変更し、
前記通信部が使用している周波数帯域を変更した後、前記通信部にて前記無線ＬＡＮ端末から前記接続要求を受信できた場合は、前記ユーザインターフェースを制御して、前記通信部が使用している前記特定の周波数帯域の設定変更を要求する設定変更要求をユーザに通知する、
無線ＬＡＮ通信装置。
【請求項７】
前記制御部は、
前記通信部が使用している周波数帯域が前記特定の周波数帯域に制限されている状態で、前記無線ＬＡＮ通信装置の接続用スイッチが押下された後、前記通信部にて前記無線ＬＡＮ端末から前記接続要求を受信できた場合は、前記通信部を制御して、前記無線ＬＡＮ端末に対し、接続応答を送信し、前記無線ＬＡＮ端末との接続を確立する、
請求項６に記載の無線ＬＡＮ通信装置。
【請求項８】
前記制御部は、
前記通信部が使用している周波数帯域が前記特定の周波数帯域に制限されている状態で、前記通信部を制御して、前記無線ＬＡＮ端末にビーコンを送信し、
前記無線ＬＡＮ端末にビーコンを送信した後、前記通信部にて前記無線ＬＡＮ端末からプローブリクエストを受信できた場合は、前記特定の周波数帯域で前記無線ＬＡＮ端末が前記無線ＬＡＮ通信装置に接続可能であると判断し、前記通信部にて前記無線ＬＡＮ端末からプローブリクエストを受信できなかった場合は、前記特定の周波数帯域で前記無線ＬＡＮ端末が前記無線ＬＡＮ通信装置に接続不可能であると判断し、
前記特定の周波数帯域での前記無線ＬＡＮ端末の前記無線ＬＡＮ通信装置への接続可否を示す接続可否情報を、前記無線ＬＡＮ端末の固有識別情報と紐付けして、テーブルに登録する、
請求項６又は７に記載の無線ＬＡＮ通信装置。
【請求項９】
ネゴシエーションにより無線ＬＡＮ端末に接続可能な無線ＬＡＮ通信装置による無線ＬＡＮ通信方法であって、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更するステップと、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知するステップと、
を含む、無線ＬＡＮ通信方法。
【請求項１０】
ネゴシエーションにより無線ＬＡＮ端末に接続可能な無線ＬＡＮ通信装置に、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更するする手順と、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知する手順と、
を実行させるためのプログラム。
【発明の詳細な説明】
【技術分野】
【０００１】
本開示は、無線ＬＡＮ（Local Area Network）システム、無線ＬＡＮ通信装置、無線ＬＡＮ通信方法、及びプログラムに関する。
【背景技術】
【０００２】
無線ＬＡＮでは、無線ＬＡＮアクセスポイントなどの無線ＬＡＮ通信装置と、パーソナルコンピュータ、スマートフォンなどの無線ＬＡＮ機能を持つ無線ＬＡＮ端末と、の間で無線通信が行われる。無線ＬＡＮ通信装置と無線ＬＡＮ端末との間で無線通信を行うためには、無線ＬＡＮ通信装置と無線ＬＡＮ端末とが、同じ周波数帯域を使用できる必要がある。
【０００３】
特に、ＩＥＥＥ（Institute of Electrical and Electronics Engineers）８０２．１１ａｃ／ａｘでは、無線の使用周波数帯域として、２．４ＧＨｚ帯と５ＧＨｚ帯との２つの帯域が規定されている。
【０００４】
現在の無線の使用状況では、２．４ＧＨｚ帯は、周波数帯域が狭い、電子レンジなどの家電製品からノイズを受けるなどの理由で、混雑していることが多く、安定した通信を行うことができないことがある。よって、５ＧＨｚ帯の方が、比較的安定した通信を行うことが可能である。そのため、例えば、特許文献１では、２．４ＧＨｚ帯及び５ＧＨｚ帯の双方を使用可能な無線ＬＡＮ端末に対しては、５ＧＨｚ帯のチャネルを割り当てている。
【先行技術文献】
【特許文献】
【０００５】
【特許文献１】国際公開第２０１１／１６１９５０号
【発明の概要】
【発明が解決しようとする課題】
【０００６】
ただし、５ＧＨｚ帯はさらに、５．２ＧＨｚ帯を使用するＷ５２と、５．３ＧＨｚ帯を使用するＷ５３と、５．６ＧＨｚ帯を使用するＷ５６と、の３つの帯域に分けられる。ここで、無線ＬＡＮ端末の中には、５ＧＨｚ帯に対応している場合であっても、Ｗ５２しか使用できない端末が存在する。
【０００７】
例えば、無線ＬＡＮ通信装置がＷ５６を使用している場合、Ｗ５２のみが使用可能な無線ＬＡＮ端末は、Ｗ５６を使用できないため、無線ＬＡＮ通信装置と接続することができない。しかし、ユーザからは、これら無線ＬＡＮ通信装置及び無線ＬＡＮ端末はどちらも５ＧＨｚ帯を使用できるように見えるため、両者が接続できない原因を特定しにくいという点が問題となっている。
【０００８】
無線ＬＡＮ通信装置と無線ＬＡＮ端末との接続を確立する方法として、広くＷＰＳ（Wi-Fi Protected Setuｐ）という方式が知られている。ＷＰＳ方式は、無線ＬＡＮ通信装置と無線ＬＡＮ端末との間を接続するために、無線ＬＡＮ通信装置が有する、ＳＳＩＤ（Service Set Identifier）、暗号方式、暗号化キーなどの設定情報を、無線ＬＡＮ端末が自動で取得することができる。特に、ＷＰＳ−ＰＢＣ（Push Button Configuration）方式は、ＷＰＳボタンを押下することのみで、無線ＬＡＮ通信装置と無線ＬＡＮ端末との接続が可能となるため、ユーザの操作としては簡単なものとなっている。なお、ＷＰＳボタンがないスマートフォンなどの無線ＬＡＮ端末には、専用のアプリケーションが用意されることが多い。この場合、ユーザは、このアプリケーション上で、ＷＰＳボタンの押下に相当する操作を行うことになる。
【０００９】
ただし、ＷＰＳ方式は、無線ＬＡＮ通信装置と無線ＬＡＮ端末とが同じ周波数帯域を使用していることが前提となっている。そのため、上記のように、無線ＬＡＮ通信装置と無線ＬＡＮ端末とが互いに異なる周波数帯域を使用しているケースでは、ＷＰＳ方式を使用しても、両者を接続することができない。
【００１０】
さらに、無線ＬＡＮ通信装置と無線ＬＡＮ端末とがＷ５２で接続している場合であっても、ユーザが、無線ＬＡＮ通信装置の使用周波数帯域の設定を、Ｗ５２からＷ５３又はＷ５６に変更する場合がある。この場合、Ｗ５２のみが使用可能な無線ＬＡＮ端末は、Ｗ５３又はＷ５６を使用できないため、無線ＬＡＮ通信装置との接続が遮断されてしまう点も問題となっている。
【００１１】
本開示の目的は、上述した課題のいずれかを解決することができる無線ＬＡＮシステム、無線ＬＡＮ通信装置、無線ＬＡＮ通信方法、及びプログラムを提供することにある。
【課題を解決するための手段】
【００１２】
一態様による無線ＬＡＮシステムは、
無線ＬＡＮ通信装置と、
ネゴシエーションにより前記無線ＬＡＮ通信装置に接続可能な無線ＬＡＮ端末と、を備え、
前記無線ＬＡＮ通信装置は、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更し、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知する。
【００１３】
一態様による無線ＬＡＮ通信装置は、
ネゴシエーションにより無線ＬＡＮ端末に接続可能な無線ＬＡＮ通信装置であって、
前記無線ＬＡＮ端末と無線通信を行う通信部と、
ユーザインターフェースと、
前記通信部及び前記ユーザインターフェースを制御する制御部と、を備え、
前記制御部は、
前記通信部が使用している周波数帯域が特定の周波数帯域に制限されている状態で、前記無線ＬＡＮ通信装置の接続用スイッチが押下された後、前記通信部にて前記無線ＬＡＮ端末から接続要求を受信できなかった場合は、前記通信部が使用している周波数帯域を変更し、
前記通信部が使用している周波数帯域を変更した後、前記通信部にて前記無線ＬＡＮ端末から前記接続要求を受信できた場合は、前記ユーザインターフェースを制御して、前記通信部が使用している前記特定の周波数帯域の設定変更を要求する設定変更要求をユーザに通知する。
【００１４】
一態様による無線ＬＡＮ通信方法は、
ネゴシエーションにより無線ＬＡＮ端末に接続可能な無線ＬＡＮ通信装置による無線ＬＡＮ通信方法であって、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更するステップと、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知するステップと、
を含む。
【００１５】
一態様によるプログラムは、
ネゴシエーションにより無線ＬＡＮ端末に接続可能な無線ＬＡＮ通信装置に、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更するする手順と、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知する手順と、
を実行させるためのプログラムである。
【発明の効果】
【００１６】
上述の態様によれば、上述した課題のいずれかの解決に貢献することができる無線ＬＡＮシステム、無線ＬＡＮ通信装置、無線ＬＡＮ通信方法、及びプログラムを提供できるという効果が得られる。
【図面の簡単な説明】
【００１７】
【図１】実施の形態に係る無線ＬＡＮシステムの第１の課題を説明する図である。
【図２】実施の形態に係る無線ＬＡＮシステムの第１の課題を説明する図である。
【図３】実施の形態に係る無線ＬＡＮシステムの第２の課題を説明する図である。
【図４】実施の形態に係る無線ＬＡＮアクセスポイントの構成例を示すブロック図である。
【図５】実施の形態に係る無線ＬＡＮアクセスポイントにおいて、無線ＬＡＮアクセスポイントと無線ＬＡＮ端末とをＷＰＳ−ＰＢＣ方式により接続する場合の動作例を説明するシーケンス図である。
【図６】実施の形態に係る無線ＬＡＮアクセスポイントにおいて、無線ＬＡＮアクセスポイントと無線ＬＡＮ端末とをＷＰＳ−ＰＢＣ方式により接続する場合の動作例を説明するシーケンス図である。
【図７】実施の形態に係る無線ＬＡＮアクセスポイントにおいて、無線ＬＡＮ端末の固有識別情報と接続可否情報とを接続可否テーブルに登録する場合の動作例を説明するシーケンス図である。
【図８】実施の形態に係る接続可否テーブルの例を示す図である。
【図９】実施の形態を概念的に示した無線ＬＡＮシステムの構成例を示す図である。
【発明を実施するための形態】
【００１８】
以下、図面を参照して本開示の実施の形態について説明する。なお、以下の記載及び図面は、説明の明確化のため、適宜、省略及び簡略化がなされている。また、以下の各図面において、同一の要素には同一の符号が付されており、必要に応じて重複説明は省略されている。
【００１９】
＜実施の形態＞
＜実施の形態の構成＞
本実施の形態の構成を説明する前に、本実施の形態の第１及び第２の課題について説明する。以下では、無線ＬＡＮ通信装置が無線ＬＡＮアクセスポイントである場合の例について説明する。
【００２０】
まず、図１及び図２を参照して、本実施の形態の第１の課題について説明する。
図１及び図２に示される無線ＬＡＮシステムは、関連技術に係る無線ＬＡＮアクセスポイント９００と、無線ＬＡＮ端末２００Ａ，２００Ｂと、を備えている。なお、以下では、どの無線ＬＡＮ端末２００Ａ，２００Ｂであるか特定しない場合は無線ＬＡＮ端末２００と称する。また、図１及び図２は、２つの無線ＬＡＮ端末２００Ａ，２００Ｂを図示しているが、無線ＬＡＮ端末２００の数は２つに限定されず、１つ以上であれば良い。
【００２１】
無線ＬＡＮアクセスポイント９００は、周波数帯域Ｗ５２／Ｗ５３／Ｗ５６をすべて使用可能なアクセスポイントである。
無線ＬＡＮ端末２００Ｂも同様に、周波数帯域Ｗ５２／Ｗ５３／Ｗ５６をすべて使用可能な端末である。一方、無線ＬＡＮ端末２００Ａは、周波数帯域Ｗ５２のみを使用可能な端末である。
【００２２】
図１では、無線ＬＡＮアクセスポイント９００は、使用可能な周波数帯域の中からＷ５２を選択し使用している。この場合、無線ＬＡＮ端末２００Ａ及び無線ＬＡＮ端末２００Ｂはどちらも、Ｗ５２を使用できるため、Ｗ５２の周波数を使用したＷＰＳ方式（ＷＰＳ−ＰＢＣ方式を含む）を利用することで無線通信を行うための初期設定を行うこと、すなわち、Ｗ５２で無線ＬＡＮアクセスポイント９００と接続することが可能である。
【００２３】
一方、図２では、無線ＬＡＮアクセスポイント９００は、Ｗ５６を選択し使用している。この場合、無線ＬＡＮ端末２００Ｂは、Ｗ５６を使用できるため、Ｗ５６の周波数を使用したＷＰＳ方式を利用することで無線ＬＡＮアクセスポイント９００と接続することが可能である。しかし、無線ＬＡＮ端末２００Ａは、Ｗ５６を使用できないため、ＷＰＳ方式を利用しても、無線ＬＡＮアクセスポイント９００と接続することができない。そのため、ＷＰＳ方式を利用しても、無線ＬＡＮアクセスポイント９００と接続することができるのは無線ＬＡＮ端末２００Ｂのみとなる。
【００２４】
しかし、ユーザからは、無線ＬＡＮアクセスポイント９００及び無線ＬＡＮ端末２００Ａはどちらも５ＧＨｚ帯を使用できるように見えるため、両者が接続できない原因を特定しにくいという課題（第１の課題）がある。
【００２５】
続いて、図３を参照して、本実施の形態の第２の課題について説明する。
図３に示される無線ＬＡＮシステムは、システム構成自体は図１及び図２と同様である。
【００２６】
図３の（ａ）では、無線ＬＡＮアクセスポイント９００は、Ｗ５２を選択し使用している。無線ＬＡＮ端末２００Ａ及び無線ＬＡＮ端末２００Ｂはどちらも、Ｗ５２を使用できるため、Ｗ５２で無線ＬＡＮアクセスポイント９００と接続し、無線通信を行っている。
【００２７】
この状態で、図３の（ｂ）のように、ユーザが無線ＬＡＮアクセスポイント９００の使用周波数帯域をＷ５２からＷ５６に設定変更したとする。この場合、無線ＬＡＮ端末２００Ｂは、Ｗ５６を使用できるため、無線ＬＡＮアクセスポイント９００との接続状態を維持し、無線通信を継続することが可能である。しかし、無線ＬＡＮ端末２００Ａは、Ｗ５６を使用できないため、無線ＬＡＮアクセスポイント９００との接続が遮断され、無線通信ができない状態となってしまうという課題（第２の課題）がある。
【００２８】
なお、図３は、無線ＬＡＮアクセスポイント９００の使用周波数帯域を、Ｗ５２からＷ５６に設定変更した場合の例であるが、Ｗ５２からＷ５３に設定変更した場合も、図３と同様な事象となるため、説明は省略する。
【００２９】
本実施の形態に係る無線ＬＡＮシステムは、上記の課題を解決するために、図１〜図３に示される無線ＬＡＮアクセスポイント９００を、無線ＬＡＮアクセスポイント１００に置き換えた構成となる。
【００３０】
以下、図４を参照して、本実施の形態に係る無線ＬＡＮアクセスポイント１００の構成について説明する。
図４に示されるように、本実施の形態に係る無線ＬＡＮアクセスポイント１００は、無線ＬＡＮインターフェース１０１と、制御部１０２と、ユーザインターフェース１０３と、記憶部１０４と、を含む。
【００３１】
無線ＬＡＮインターフェース１０１は、無線ＬＡＮの物理的な無線通信を行う。無線ＬＡＮインターフェース１０１は、周波数帯域Ｗ５２／Ｗ５３／Ｗ５６が使用可能であり、制御部１０２によって制御された周波数帯域を使用して、物理的な無線通信を行うことができる。
【００３２】
ユーザインターフェース１０３は、無線ＬＡＮアクセスポイント１００の使用周波数帯域の設定をユーザが変更するため機能や、無線ＬＡＮアクセスポイント１００に接続できない無線ＬＡＮ端末２００が発見された場合に、その旨をユーザに通知するための機能、ユーザがＷＰＳボタンを押下する機能又はユーザがＷＰＳボタンの押下に相当する操作を行う機能等を有している。
【００３３】
記憶部１０４は、例えば、ＲＡＭ（Random Access Memory）やＲＯＭ（Read Only Memory）等のメモリによって実現される。例えば、記憶部１０４は、設定テーブル、接続可否テーブル等を記憶する。設定テーブルは、無線ＬＡＮアクセスポイント１００の各種の設定情報を登録したテーブルであり、例えば、設定情報は、ユーザに設定された無線ＬＡＮアクセスポイント１００の使用周波数帯域を示す情報を含む。接続可否テーブルは、無線ＬＡＮアクセスポイント１００に接続されている無線ＬＡＮ端末２００を識別する固有識別情報（例えば、ＭＡＣアドレス）と、その無線ＬＡＮ端末２００が無線ＬＡＮアクセスポイント１００に接続可能な周波数帯域及び接続不可能な周波数帯域を示す接続可否情報と、を紐付けて登録したテーブルである。なお、記憶部１０４の各テーブルへの情報の登録は、制御部１０２を介して行われる。
【００３４】
制御部１０２は、例えば、ＣＰＵ（Central Processing Unit）やＧＰＵ（Graphics Processing Unit）等のプロセッサによって実現される。また、制御部１０２は、本明細書で説明する処理のうちの任意の処理を、プログラムを実行することにより、実現することも可能である。この場合、プログラムは、記憶部１０４に記憶され、制御部１０２は、記憶部１０４に記憶されたプログラムを読み出し実行する。
【００３５】
また、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３６】
＜実施の形態の動作＞
以下、図５及び図６を参照して、本実施の形態に係る無線ＬＡＮシステムにおいて、無線ＬＡＮアクセスポイント１００と無線ＬＡＮ端末２００とをＷＰＳ方式により接続する場合の動作について説明する。
【００３７】
まず、図５を参照して、無線ＬＡＮアクセスポイント１００の使用周波数帯域がユーザによりＷ５２に設定されている状態において、無線ＬＡＮアクセスポイント１００と無線ＬＡＮ端末２００ＡとをＷＰＳ−ＰＢＣ方式により接続する場合の動作について説明する。無線ＬＡＮ端末２００Ａは、Ｗ５２のみが使用可能な端末であるとする。
【００３８】
図５に示されるように、ここでは、無線ＬＡＮアクセスポイント１００の記憶部１０４の設定テーブルには、ユーザが無線ＬＡＮアクセスポイント１００の使用周波数帯域として設定したＷ５２が登録されており、無線ＬＡＮアクセスポイント１００の制御部１０２は、無線ＬＡＮアクセスポイント１００の無線ＬＡＮインターフェース１０１の使用周波数帯域をＷ５２に制御している（状態Ｓ１０１）。
【００３９】
まず、ユーザは、無線ＬＡＮアクセスポイント１００にＷＰＳを開始させるために無線ＬＡＮアクセスポイント１００のＷＰＳスイッチを押下する（ステップＳ１０２）。すると、無線ＬＡＮアクセスポイント１００の制御部１０２は、ＷＰＳを開始する（ステップＳ１０３）。具体的には、制御部１０２は、ＷＰＳ接続要求の受信待ち状態に遷移する。
【００４０】
同様に、ユーザは、無線ＬＡＮ端末２００ＡにもＷＰＳを開始させるために無線ＬＡＮ端末２００ＡのＷＰＳスイッチを押下する（ステップＳ１０４）。すると、無線ＬＡＮ端末２００Ａも、ＷＰＳを開始する（ステップＳ１０５）。具体的には、無線ＬＡＮ端末２００Ａは、ＷＰＳ接続要求を送信する（ステップＳ１０６）。無線ＬＡＮ端末２００Ａは、Ｗ５２のみを使用できるため、Ｗ５２でＷＰＳ接続要求を送信する。
【００４１】
このとき、無線ＬＡＮアクセスポイント１００の無線ＬＡＮインターフェース１０１は、使用周波数帯域がＷ５２に制御されているため、無線ＬＡＮ端末２００ＡからのＷＰＳ接続要求を受信可能である。そのため、無線ＬＡＮアクセスポイント１００の制御部１０２は、無線ＬＡＮインターフェース１０１にてＷＰＳ接続要求を受信すると、無線ＬＡＮインターフェース１０１を制御して、無線ＬＡＮ端末２００Ａに対し、Ｗ５２でＷＰＳ接続応答を返信する（ステップＳ１０７）。
【００４２】
無線ＬＡＮ端末２００Ａが無線ＬＡＮアクセスポイント１００からのＷＰＳ接続応答を正常に受信すると、無線ＬＡＮアクセスポイント１００と無線ＬＡＮ端末２００ＡとのＷ５２での接続が確立される（ステップＳ１０８）。
【００４３】
次に、図６を参照して、無線ＬＡＮアクセスポイント１００の使用周波数帯域がユーザによりＷ５６に設定されている状態において、無線ＬＡＮアクセスポイント１００と無線ＬＡＮ端末２００ＡとをＷＰＳ−ＰＢＣ方式により接続する場合の動作について説明する。無線ＬＡＮ端末２００Ａは、Ｗ５２のみが使用可能な端末であるとする。
【００４４】
図６に示されるように、ここでは、無線ＬＡＮアクセスポイント１００の記憶部１０４の設定テーブルには、ユーザが無線ＬＡＮアクセスポイント１００の使用周波数帯域として設定したＷ５６が登録されており、無線ＬＡＮアクセスポイント１００の制御部１０２は、無線ＬＡＮアクセスポイント１００の無線ＬＡＮインターフェース１０１の使用周波数帯域をＷ５６に制御している（状態Ｓ２０１）。
【００４５】
まず、ユーザは、無線ＬＡＮアクセスポイント１００のＷＰＳスイッチを押下する（ステップＳ２０２）。すると、無線ＬＡＮアクセスポイント１００の制御部１０２は、ＷＰＳを開始する（ステップＳ２０３）。具体的には、制御部１０２は、ＷＰＳ接続要求の受信待ち状態に遷移する。
【００４６】
同様に、ユーザは、無線ＬＡＮ端末２００ＡのＷＰＳスイッチを押下する（ステップＳ２０４）。すると、無線ＬＡＮ端末２００Ａも、ＷＰＳを開始する（ステップＳ２０５）。具体的には、無線ＬＡＮ端末２００は、ＷＰＳ接続要求を送信する（ステップＳ２０６）。無線ＬＡＮ端末２００Ａは、Ｗ５２のみを使用できるため、Ｗ５２でＷＰＳ接続要求を送信する。
【００４７】
しかし、このとき、無線ＬＡＮアクセスポイント１００の無線ＬＡＮインターフェース１０１は、使用周波数帯域がＷ５６に制御されており、無線ＬＡＮ端末２００Ａとは使用周波数帯域が異なるため、無線ＬＡＮ端末２００からのＷＰＳ接続要求を受信することができない（ステップＳ２０７）。
【００４８】
そのため、無線ＬＡＮアクセスポイント１００の制御部１０２は、ＷＰＳ接続要求の受信待ち状態に遷移してから一定時間（例えば、Ｔ１）内に、無線ＬＡＮインターフェース１０１にてＷＰＳ接続要求が受信できない場合、無線ＬＡＮインターフェース１０１の使用周波数帯域をＷ５６からＷ５２に変更し（ステップＳ２０８）、ＷＰＳ接続要求の受信待ち状態に再度遷移する。
【００４９】
無線ＬＡＮ端末２００Ａは、ＷＰＳ接続要求の送信を開始してから一定時間（例えば、Ｔ２。Ｔ２＞Ｔ１）内は、定期的にＷＰＳ接続要求を送信し続けている（ステップＳ２０９）。そのため、無線ＬＡＮアクセスポイント１００の無線ＬＡＮインターフェース１０１は、Ｗ５２で無線ＬＡＮ端末２００ＡからのＷＰＳ接続要求を受信できる（ステップＳ２１０）。
【００５０】
無線ＬＡＮアクセスポイント１００の制御部１０２は、ＷＰＳ接続要求の受信待ち状態に再度遷移してから一定時間（例えば、Ｔ３。Ｔ３＝Ｔ１でも良い）内に、無線ＬＡＮインターフェース１０１にてＷＰＳ接続要求を受信すると、無線ＬＡＮアクセスポイント１００の使用周波数帯域の設定をＷ５２に変更することを要求する設定変更要求をユーザに通知する（ステップＳ２１１）。このときの通知方法としては、例えば、ユーザインターフェース１０３を制御して、設定変更要求に係るメッセージを、ＬＥＤ（Light Emitting Diode）、ＬＣＤ（Liquid Crystal Display）に表示する方法などがある。
【００５１】
その後、無線ＬＡＮアクセスポイント１００の制御部１０２は、元のＷ５６を使用するため、無線ＬＡＮインターフェース１０１の使用周波数帯域をＷ５２からＷ５６に変更する（ステップＳ２１２）。
【００５２】
上記のシーケンスにより、ユーザは、無線ＬＡＮアクセスポイント１００の使用周波数帯域の設定をＷ５２に変更することを要求する設定変更要求が通知される。そのため、ユーザは、Ｗ５２で無線ＬＡＮアクセスポイント１００と無線ＬＡＮ端末２００Ａとを接続する必要があることを認識できる。これを受けて、ユーザが、無線ＬＡＮアクセスポイント１００の使用周波数帯域の設定をＷ５２に変更すると、無線ＬＡＮアクセスポイント１００の制御部１０２は、無線ＬＡＮアクセスポイント１００の記憶部１０４の設定テーブルに使用周波数帯域として登録されているＷ５６をＷ５２に変更する。
【００５３】
次に、図７を参照して、本実施の形態に係る無線ＬＡＮシステムにおいて、Ｗ５２で無線ＬＡＮアクセスポイント１００と既に接続されている無線ＬＡＮ端末２００Ａ，２００Ｂの固有識別情報と、無線ＬＡＮ端末２００Ａ，２００ＢのＷ５２／Ｗ５３／Ｗ５６での接続可否情報と、を接続可否テーブルに登録する場合の動作例について説明する。無線ＬＡＮ端末２００Ａは、Ｗ５２のみが使用可能な端末であり、無線ＬＡＮ端末２００Ｂは、Ｗ５２／Ｗ５３／Ｗ５６が使用可能な端末であるとする。
【００５４】
図７に示されるように、無線ＬＡＮアクセスポイント１００と無線ＬＡＮ端末２００Ａ，２００Ｂとは既にＷ５２で接続されている状態である（状態Ｓ３０１）。そのため、無線ＬＡＮアクセスポイント１００の制御部１０２は、無線ＬＡＮアクセスポイント１００の無線ＬＡＮインターフェース１０１の使用周波数帯域をＷ５２に制御している。
【００５５】
無線ＬＡＮアクセスポイント１００の制御部１０２は、無線ＬＡＮインターフェース１０１を制御して、Ｗ５２でビーコンを送信し（ステップＳ３０２）、ビーコンに対するプローブリクエストの受信待ち状態に遷移する。
【００５６】
無線ＬＡＮ端末２００Ａ，２００Ｂはどちらも、Ｗ５２を使用できるため、このビーコンを受信することができる。そのため、無線ＬＡＮ端末２００Ａ，２００Ｂは、このビーコンを受信すると、プローブリクエストを無線ＬＡＮアクセスポイント１００に返信する（ステップＳ３０３，Ｓ４０４）。
【００５７】
無線ＬＡＮアクセスポイント１００の制御部１０２は、プローブリクエストの受信待ち状態に遷移してから一定時間（例えば、Ｔ４。Ｔ４＝Ｔ１でも良い）内に、無線ＬＡＮインターフェース１０１にてプローブリクエストを受信すると、このプローブリクエストから、無線ＬＡＮ端末２００Ａ，２００Ｂの固有識別情報を取得可能である。制御部１０２は、無線ＬＡＮインターフェース１０１にてプローブリクエストを受信できた無線ＬＡＮ端末２００Ａ，２００ＢはＷ５２で接続可能と判断し、Ｗ５２で接続可能である旨の接続可否情報を、上記で取得した固有識別情報に紐付けて、記憶部１０４の接続可否テーブルに登録する（ステップＳ３０５）。
【００５８】
その後、無線ＬＡＮアクセスポイント１００の制御部１０２は、ユーザの通信使用頻度が少ない時間帯等において、定期的に、無線ＬＡＮインターフェース１０１の使用周波数帯域を自動的に変更する。ここでは、まず、制御部１０２は、無線ＬＡＮインターフェース１０１の使用周波数帯域をＷ５２からＷ５６に変更する（ステップＳ３０６）。そして、制御部１０２は、ステップＳ３０２と同様に、無線ＬＡＮインターフェース１０１を制御して、Ｗ５６でビーコンを送信し（ステップＳ３０７）、ビーコンに対するプローブリクエストの受信待ち状態に再度遷移する。
【００５９】
ここで、無線ＬＡＮ端末２００Ａは、Ｗ５６を使用できないため、このビーコンを受信することができず、無線ＬＡＮアクセスポイント１００に対してプローブリクエストを返信することができない（ステップＳ３０８）。一方、無線ＬＡＮ端末２００Ｂは、Ｗ５６を使用できるため、無線ＬＡＮアクセスポイント１００に対してプローブリクエストを返信する（ステップＳ３０９）。
【００６０】
無線ＬＡＮアクセスポイント１００の制御部１０２は、プローブリクエストの受信待ち状態に遷移してから一定時間（例えば、Ｔ５。Ｔ５＝Ｔ４でも良い）内に、無線ＬＡＮインターフェース１０１にてプローブリクエストを受信できた無線ＬＡＮ端末２００Ｂについては、Ｗ５６で接続可能である旨の接続可否情報を、固有識別情報に紐付けて、記憶部１０４の接続可否テーブルに登録する。一方、制御部１０２は、無線ＬＡＮインターフェース１０１にてプローブリクエストが受信できなかった無線ＬＡＮ端末２００Ａについては、Ｗ５６で接続不可である旨の接続可否情報を、固有識別情報に紐付けて、記憶部１０４の接続可否テーブルに登録する（ステップＳ３１０）。
【００６１】
上記のシーケンスにより、無線ＬＡＮアクセスポイント１００は、Ｗ５２で接続されている無線ＬＡＮ端末２００Ａ，２００Ｂが、Ｗ５６で接続可能であるか否かを知ることができる。
【００６２】
なお、図７は、Ｗ５２で無線ＬＡＮアクセスポイント１００と既に接続されている無線ＬＡＮ端末２００Ａ，２００Ｂについて、Ｗ５６での接続可否情報を接続可否テーブルに登録する場合の例である。Ｗ５３での接続可否情報を接続可否テーブルに登録する場合は、次の定期的なタイミングで、図７のステップＳ３０６〜Ｓ３１０と同様なシーケンスを行えば良いため、説明は省略する。
Ｗ５３／Ｗ５６の双方について、図７のステップＳ３０６〜Ｓ３１０のシーケンスが完了すると、例えば、図８に示されるような接続可否テーブルが作成される。
【００６３】
ユーザが無線ＬＡＮアクセスポイント１００の使用周波数帯域の設定を手動で変更する場合、無線ＬＡＮアクセスポイント１００の制御部１０２は、上記の接続可否テーブルを参照し、無線ＬＡＮアクセスポイント１００に接続されている無線ＬＡＮ端末２００の中に、無線ＬＡＮアクセスポイント１００の使用周波数帯域を変更すると、無線ＬＡＮアクセスポイント１００に接続できなくなる無線ＬＡＮ端末２００が存在するか否かを判断する。制御部１０２は、そのような無線ＬＡＮ端末２００が存在する場合、その旨をユーザに通知する。このときの通知方法としては、例えば、ユーザインターフェース１０３を制御して、Ｗｅｂ  ＧＵＩ（Graphical User Interface）画面に、無線ＬＡＮアクセスポイント１００の使用周波数帯域の変更により無線ＬＡＮアクセスポイント１００に接続できなくなる無線ＬＡＮ端末２００が存在する旨のメッセージを表示する方法などがある。
【００６４】
そのため、無線ＬＡＮアクセスポイント１００の使用周波数帯域を変更すると、無線ＬＡＮアクセスポイント１００に接続できなくなる無線ＬＡＮ端末２００が存在する場合、その旨をユーザに通知して注意喚起を行うことができる。これにより、無線ＬＡＮアクセスポイント１００と接続されていた無線ＬＡＮ端末２００が、意図せずに無線ＬＡＮアクセスポイント１００との接続が遮断されてしまうという事象を回避できる。
【００６５】
＜実施の形態の効果＞
上述したように本実施の形態によれば、無線ＬＡＮアクセスポイント１００は、無線ＬＡＮアクセスポイント１００の使用周波数帯域をユーザに設定された使用周波数帯域に制御している状態で、ＷＰＳスイッチが押下され、その後に、無線ＬＡＮ端末２００からＷＰＳ接続要求を受信できなかった場合は、無線ＬＡＮアクセスポイント１００の使用周波数帯域を変更する。無線ＬＡＮアクセスポイント１００は、無線ＬＡＮアクセスポイント１００の使用周波数帯域の変更により無線ＬＡＮ端末２００からＷＰＳ接続要求を受信できた場合は、無線ＬＡＮアクセスポイント１００の使用周波数帯域の設定変更を要求する設定変更要求をユーザに通知する。これにより、無線ＬＡＮアクセスポイント１００と無線ＬＡＮ端末２００とが接続できない場合でも、ユーザは、両者が接続できない原因を特定し易くなる。
【００６６】
また、本実施の形態によれば、無線ＬＡＮアクセスポイント１００は、定期的に、無線ＬＡＮアクセスポイント１００の使用周波数帯域を変更して無線ＬＡＮ端末２００にビーコンを送信し、その後に、無線ＬＡＮ端末２００からプローブリクエストを受信できたか否かで、無線ＬＡＮアクセスポイント１００の変更後の使用周波数帯域での無線ＬＡＮ端末２００の接続可否を判断し、無線ＬＡＮ端末２００の接続可否情報を、無線ＬＡＮ端末２００の固有識別情報と紐付けして、接続可否テーブルに登録しておく。そして、ユーザが無線ＬＡＮアクセスポイント１００の使用周波数帯域の設定変更をする際に、無線ＬＡＮアクセスポイント１００は、接続可否テーブルを参照し、無線ＬＡＮアクセスポイント１００に接続されている無線ＬＡＮ端末２００の中に、無線ＬＡＮアクセスポイント１００の使用周波数帯域の変更により接続不可能になる無線ＬＡＮ端末２００が存在する場合、その旨をユーザに通知する。これにより、無線ＬＡＮアクセスポイント１００と接続されていた無線ＬＡＮ端末２００が、意図せずに無線ＬＡＮアクセスポイント１００との接続が遮断されてしまうという事象を回避できる。
【００６７】
＜他の実施の形態＞
図６の例では、無線ＬＡＮアクセスポイント１００は、無線ＬＡＮアクセスポイント１００の使用周波数帯域が、ユーザにＷ５６により設定されている状態で、無線ＬＡＮアクセスポイント１００の使用周波数帯域をＷ５２に変更して、Ｗ５２を使用している無線ＬＡＮ端末２００Ａを発見している。このとき、図６の例では、無線ＬＡＮアクセスポイント１００は、無線ＬＡＮアクセスポイント１００の使用周波数帯域のＷ５２への設定変更要求をユーザに通知し、無線ＬＡＮアクセスポイント１００使用周波数帯域をＷ５６に戻していたが、これには限定されない。無線ＬＡＮアクセスポイント１００は、ユーザに設定変更要求を通知すると共に、無線ＬＡＮアクセスポイント１００使用周波数帯域をＷ５６には戻さず、Ｗ５２のままとしても良い。
【００６８】
また、図６の例では、無線ＬＡＮアクセスポイント１００は、無線ＬＡＮアクセスポイント１００の使用周波数帯域が、ユーザによりＷ５６に設定されている状態であったため、Ｗ５６でＷＰＳを実行していたが、これには限定されない。無線ＬＡＮアクセスポイント１００は、無線ＬＡＮアクセスポイント１００の使用周波数帯域が、ユーザによりＷ５３又はＷ５６に設定されている状態であっても、ＷＰＳを実行する場合は、必ずＷ５２で実行することとしても良い。この場合、無線ＬＡＮアクセスポイント１００は、無線ＬＡＮアクセスポイント１００の使用周波数帯域をＷ５６に戻した後に、無線ＬＡＮ端末２００Ａとの接続が遮断されることになるため、その時点で、無線ＬＡＮ端末２００Ａとの接続が遮断された旨をユーザに通知すれば良い。
【００６９】
また、図６の例では、無線ＬＡＮアクセスポイント１００は、Ｗ５２を使用している無線ＬＡＮ端末２００Ａを発見し、無線ＬＡＮアクセスポイント１００の使用周波数帯域のＷ５２への設定変更要求をユーザに通知していたが、無線ＬＡＮ端末２００Ａに対しても、Ｗ５６では無線ＬＡＮアクセスポイント１００に接続できない旨を通知しても良い。無線ＬＡＮ端末２００は、ＷＰＳスイッチがない場合、専用のアプリケーションが用意されることが多い。そのため、無線ＬＡＮアクセスポイント１００は、上記の無線ＬＡＮ端末２００Ａへの通知を、専用のアプリケーションを利用して行っても良い。
【００７０】
＜実施の形態の概念＞
続いて、図９を参照して、上述の実施の形態を概念的に示した無線ＬＡＮシステムの構成について説明する。
【００７１】
図９に示される無線ＬＡＮシステムは、無線ＬＡＮ通信装置３００と、無線ＬＡＮ端末４００Ａ，４００Ｂと、を備えている。なお、以下では、どの無線ＬＡＮ端末４００Ａ，４００Ｂであるか特定しない場合は無線ＬＡＮ端末４００と称する。また、図９は、２つの無線ＬＡＮ端末４００Ａ，４００Ｂを図示しているが、無線ＬＡＮ端末４００の数は２つに限定されず、１つ以上であれば良い。
【００７２】
無線ＬＡＮ通信装置３００と無線ＬＡＮ端末４００とは、ネゴシエーションにより相互に接続可能である。例えば、ネゴシエーションは、ＷＰＳである。無線ＬＡＮ通信装置３００は、上述した無線ＬＡＮアクセスポイント１００に対応し、無線ＬＡＮ端末４００Ａ，４００Ｂは、上述した無線ＬＡＮ端末２００Ａ，２００Ｂに対応する。
無線ＬＡＮ通信装置３００は、通信部３０１、制御部３０２、及びユーザインターフェース３０３を備えている。
【００７３】
通信部３０１は、上述した無線ＬＡＮインターフェース１０１に対応し、ユーザインターフェース３０３は、上述したユーザインターフェース１０３に対応する。また、制御部３０２は、上述した制御部１０２に対応し、通信部３０１及びユーザインターフェース３０３を制御する。
【００７４】
制御部３０２は、通信部３０１が使用している使用周波数帯域が特定の使用周波数帯域に制限されている状態で、無線ＬＡＮ通信装置３００の接続用スイッチが押下された後、通信部３０１にて無線ＬＡＮ端末４００から接続要求を受信できなかった場合は、通信部３０１が使用している使用周波数帯域を変更する。例えば、特定の使用周波数帯域は、ユーザに設定された使用周波数帯域である。また、例えば、接続用スイッチは、ＷＰＳスイッチであり、接続要求は、ＷＰＳ接続要求である。
【００７５】
制御部３０２は、通信部３０１が使用している使用周波数帯域を変更した後、通信部３０１にて無線ＬＡＮ端末４００から接続要求を受信できた場合は、ユーザインターフェース３０３を制御して、通信部３０１が使用している特定の使用周波数帯域の設定変更を要求する設定変更要求をユーザに通知する。
【００７６】
なお、制御部３０２は、無線ＬＡＮ通信装置３００の接続用スイッチが押下された後、通信部３０１にて無線ＬＡＮ端末４００から接続要求を受信できた場合は、通信部３０１を制御して、無線ＬＡＮ端末４００に対し、接続応答を送信し、無線ＬＡＮ端末４００との接続を確立する。例えば、接続応答は、ＷＰＳ接続応答である。
【００７７】
また、制御部３０２は、通信部３０１が使用している使用周波数帯域が特定の使用周波数帯域に制限されている状態で、通信部３０１を制御して、無線ＬＡＮ端末４００にビーコンを送信する。
【００７８】
制御部３０２は、無線ＬＡＮ端末４００にビーコンを送信した後、通信部３０１にて無線ＬＡＮ端末４００からプローブリクエストを受信できた場合は、特定の使用周波数帯域で無線ＬＡＮ端末４００が無線ＬＡＮ通信装置３００に接続可能であると判断し、通信部３０１にて無線ＬＡＮ端末４００からプローブリクエストを受信できなかった場合は、特定の使用周波数帯域で無線ＬＡＮ端末４００が無線ＬＡＮ通信装置３００に接続不可能であると判断する。
【００７９】
そして、制御部３０２は、特定の使用周波数帯域での無線ＬＡＮ端末４００の無線ＬＡＮ通信装置３００への接続可否を示す接続可否情報を、無線ＬＡＮ端末４００の固有識別情報と紐付けして、テーブルに登録する。
【００８０】
また、制御部３０２は、定期的に、通信部３０１が使用している使用周波数帯域を変更し、通信部３０１を制御して、無線ＬＡＮ端末４００にビーコンを送信する。
【００８１】
制御部３０２は、無線ＬＡＮ端末４００にビーコンを送信した後、通信部３０１にて無線ＬＡＮ端末４００からプローブリクエストを受信できた場合は、変更後の使用周波数帯域で無線ＬＡＮ端末４００が無線ＬＡＮ通信装置３００に接続可能であると判断し、通信部３０１にて無線ＬＡＮ端末４００からプローブリクエストを受信できなかった場合は、変更後の使用周波数帯域で無線ＬＡＮ端末４００が無線ＬＡＮ通信装置３００に接続不可能であると判断する。
【００８２】
そして、制御部３０２は、変更後の使用周波数帯域での無線ＬＡＮ端末４００の無線ＬＡＮ通信装置３００への接続可否を示す接続可否情報を、無線ＬＡＮ端末４００の固有識別情報と紐付けして、テーブルに登録する。
【００８３】
また、制御部３０２は、ユーザが通信部３０１が使用している特定の使用周波数帯域の設定変更をする際に、テーブルを参照し、無線ＬＡＮ通信装置３００に接続されている無線ＬＡＮ端末４００の中に、通信部３０１が使用している使用周波数帯域の設定変更により無線ＬＡＮ通信装置３００に接続不可能になる無線ＬＡＮ端末４００が存在する場合、ユーザインターフェース３０３を制御して、その旨をユーザに通知する。
【００８４】
以上、実施の形態を参照して本開示を説明したが、本開示は上記の実施の形態に限定されるものではない。本開示の構成や詳細には、本開示のスコープ内で当業者が理解し得る様々な変更をすることができる。
【００８５】
例えば、上記の実施の形態の一部又は全部は、以下の付記のようにも記載されうるが、以下には限られない。
（付記１）
無線ＬＡＮ通信装置と、
ネゴシエーションにより前記無線ＬＡＮ通信装置に接続可能な無線ＬＡＮ端末と、を備え、
前記無線ＬＡＮ通信装置は、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更し、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知する、
無線ＬＡＮシステム。
（付記２）
前記無線ＬＡＮ通信装置は、
前記無線ＬＡＮ通信装置が使用している周波数帯域が前記特定の周波数帯域に制限されている状態で、前記無線ＬＡＮ通信装置の接続用スイッチが押下された後、前記無線ＬＡＮ端末から前記接続要求を受信できた場合は、前記無線ＬＡＮ端末に対し、接続応答を送信し、前記無線ＬＡＮ端末との接続を確立する、
付記１に記載の無線ＬＡＮシステム。
（付記３）
前記無線ＬＡＮ通信装置は、
前記無線ＬＡＮ通信装置が使用している周波数帯域が前記特定の周波数帯域に制限されている状態で、前記無線ＬＡＮ端末にビーコンを送信し、前記無線ＬＡＮ端末にビーコンを送信した後、前記無線ＬＡＮ端末からプローブリクエストを受信できた場合は、前記特定の周波数帯域で前記無線ＬＡＮ端末が前記無線ＬＡＮ通信装置に接続可能であると判断し、前記無線ＬＡＮ端末からプローブリクエストを受信できなかった場合は、前記特定の周波数帯域で前記無線ＬＡＮ端末が前記無線ＬＡＮ通信装置に接続不可能であると判断し、
前記特定の周波数帯域での前記無線ＬＡＮ端末の前記無線ＬＡＮ通信装置への接続可否を示す接続可否情報を、前記無線ＬＡＮ端末の固有識別情報と紐付けして、テーブルに登録する、
付記１又は２に記載の無線ＬＡＮシステム。
（付記４）
前記無線ＬＡＮ通信装置は、
定期的に、前記無線ＬＡＮ通信装置が使用している周波数帯域を変更して前記無線ＬＡＮ端末にビーコンを送信し、
前記無線ＬＡＮ端末にビーコンを送信した後、前記無線ＬＡＮ端末からプローブリクエストを受信できた場合は、変更後の周波数帯域で前記無線ＬＡＮ端末が前記無線ＬＡＮ通信装置に接続可能であると判断し、前記無線ＬＡＮ端末からプローブリクエストを受信できなかった場合は、変更後の周波数帯域で前記無線ＬＡＮ端末が前記無線ＬＡＮ通信装置に接続不可能であると判断し、
変更後の周波数帯域での前記無線ＬＡＮ端末の前記無線ＬＡＮ通信装置への接続可否を示す接続可否情報を、前記無線ＬＡＮ端末の固有識別情報と紐付けして、前記テーブルに登録する、
付記３に記載の無線ＬＡＮシステム。
（付記５）
前記無線ＬＡＮ通信装置は、
ユーザが前記無線ＬＡＮ通信装置が使用している前記特定の周波数帯域の設定変更をする際に、前記テーブルを参照し、前記無線ＬＡＮ通信装置に接続されている前記無線ＬＡＮ端末の中に、前記無線ＬＡＮ通信装置が使用している周波数帯域の設定変更により前記無線ＬＡＮ通信装置に接続不可能になる前記無線ＬＡＮ端末が存在する場合、その旨をユーザに通知する、
付記４に記載の無線ＬＡＮシステム。
（付記６）
ネゴシエーションにより無線ＬＡＮ端末に接続可能な無線ＬＡＮ通信装置であって、
前記無線ＬＡＮ端末と無線通信を行う通信部と、
ユーザインターフェースと、
前記通信部及び前記ユーザインターフェースを制御する制御部と、を備え、
前記制御部は、
前記通信部が使用している周波数帯域が特定の周波数帯域に制限されている状態で、前記無線ＬＡＮ通信装置の接続用スイッチが押下された後、前記通信部にて前記無線ＬＡＮ端末から接続要求を受信できなかった場合は、前記通信部が使用している周波数帯域を変更し、
前記通信部が使用している周波数帯域を変更した後、前記通信部にて前記無線ＬＡＮ端末から前記接続要求を受信できた場合は、前記ユーザインターフェースを制御して、前記通信部が使用している前記特定の周波数帯域の設定変更を要求する設定変更要求をユーザに通知する、
無線ＬＡＮ通信装置。
（付記７）
前記制御部は、
前記通信部が使用している周波数帯域が前記特定の周波数帯域に制限されている状態で、前記無線ＬＡＮ通信装置の接続用スイッチが押下された後、前記通信部にて前記無線ＬＡＮ端末から前記接続要求を受信できた場合は、前記通信部を制御して、前記無線ＬＡＮ端末に対し、接続応答を送信し、前記無線ＬＡＮ端末との接続を確立する、
付記６に記載の無線ＬＡＮ通信装置。
（付記８）
前記制御部は、
前記通信部が使用している周波数帯域が前記特定の周波数帯域に制限されている状態で、前記通信部を制御して、前記無線ＬＡＮ端末にビーコンを送信し、
前記無線ＬＡＮ端末にビーコンを送信した後、前記通信部にて前記無線ＬＡＮ端末からプローブリクエストを受信できた場合は、前記特定の周波数帯域で前記無線ＬＡＮ端末が前記無線ＬＡＮ通信装置に接続可能であると判断し、前記通信部にて前記無線ＬＡＮ端末からプローブリクエストを受信できなかった場合は、前記特定の周波数帯域で前記無線ＬＡＮ端末が前記無線ＬＡＮ通信装置に接続不可能であると判断し、
前記特定の周波数帯域での前記無線ＬＡＮ端末の前記無線ＬＡＮ通信装置への接続可否を示す接続可否情報を、前記無線ＬＡＮ端末の固有識別情報と紐付けして、テーブルに登録する、
付記６又は７に記載の無線ＬＡＮ通信装置。
（付記９）
前記制御部は、
定期的に、前記通信部が使用している周波数帯域を変更し、前記通信部を制御して、前記無線ＬＡＮ端末にビーコンを送信し、
前記無線ＬＡＮ端末にビーコンを送信した後、前記通信部にて前記無線ＬＡＮ端末からプローブリクエストを受信できた場合は、変更後の周波数帯域で前記無線ＬＡＮ端末が前記無線ＬＡＮ通信装置に接続可能であると判断し、前記通信部にて前記無線ＬＡＮ端末からプローブリクエストを受信できなかった場合は、変更後の周波数帯域で前記無線ＬＡＮ端末が前記無線ＬＡＮ通信装置に接続不可能であると判断し、
変更後の周波数帯域での前記無線ＬＡＮ端末の前記無線ＬＡＮ通信装置への接続可否を示す接続可否情報を、前記無線ＬＡＮ端末の固有識別情報と紐付けして、前記テーブルに登録する、
付記８に記載の無線ＬＡＮ通信装置。
（付記１０）
前記制御部は、
ユーザが前記通信部が使用している前記特定の周波数帯域の設定変更をする際に、前記テーブルを参照し、前記無線ＬＡＮ通信装置に接続されている前記無線ＬＡＮ端末の中に、前記通信部が使用している周波数帯域の設定変更により前記無線ＬＡＮ通信装置に接続不可能になる前記無線ＬＡＮ端末が存在する場合、前記ユーザインターフェースを制御して、その旨をユーザに通知する、
付記９に記載の無線ＬＡＮ通信装置。
（付記１１）
ネゴシエーションにより無線ＬＡＮ端末に接続可能な無線ＬＡＮ通信装置による無線ＬＡＮ通信方法であって、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更するステップと、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知するステップと、
を含む、無線ＬＡＮ通信方法。
（付記１２）
ネゴシエーションにより無線ＬＡＮ端末に接続可能な無線ＬＡＮ通信装置に、
前記無線ＬＡＮ通信装置が使用している周波数帯域が特定の周波数帯域に制限されている状態で、前記無線ＬＡＮ通信装置の接続用スイッチが押下された後、前記無線ＬＡＮ端末から接続要求を受信できなかった場合は、前記無線ＬＡＮ通信装置が使用している周波数帯域を変更するする手順と、
前記無線ＬＡＮ通信装置が使用している周波数帯域を変更した後、前記無線ＬＡＮ端末から前記接続要求を受信できた場合は、前記無線ＬＡＮ通信装置が使用している前記特定の周波数帯域の設定変更を要求する設定変更要求をユーザに通知する手順と、
を実行させるためのプログラム。
【符号の説明】
【００８６】
１００  無線ＬＡＮアクセスポイント
１０１  無線ＬＡＮインターフェース
１０２  制御部
１０３  ユーザインターフェース
１０４  記憶部
２００Ａ，２００Ｂ  無線ＬＡＮ端末
３００  無線ＬＡＮ通信装置
３０１  通信部
３０２  制御部
３０３  ユーザインターフェース
４００Ａ，４００Ｂ  無線ＬＡＮ端末
【図１】
2020194996.tif 000003
【図２】
2020194996.tif 000004
【図３】
2020194996.tif 000005
【図４】
2020194996.tif 000006
【図５】
2020194996.tif 000007
【図６】
2020194996.tif 000008
【図７】
2020194996.tif 000009
【図８】
2020194996.tif 000010
【図９】
2020194996.tif 000011